(57)【要約】【課題】コンクリート構造物の角部を形成する面木の先端部　（突き合わせ部）　の手作業による加工を無くして、簡単に、かつ効率よく組み立てられる面木を提供する。【解決手段】横断面が二等辺三角形の面木であって、一端部に長手方向に対して傾斜した正三角形の面（１０−１）が形成されており、その面の各辺の長さが、取り付けるべき縦面木の横断面の二等辺三角形の底辺の長さに等しいか、またはそれより短いことを特徴とするコンクリート構造物の角部を形成するための面木。この面木は角部の型枠（縦面木）に取り付けて使用する。【選択図】図７
0003097303.tif 000002
【実用新案登録請求の範囲】
【請求項１】
横断面が二等辺三角形の面木であって、一端部に長手方向に対して傾斜した正三角形の面が形成されており、その面の各辺の長さが、取り付けるべき縦面木の横断面の二等辺三角形の底辺の長さに等しいか、またはそれより短いことを特徴とするコンクリート構造物の角部を形成するための面木。
【考案の詳細な説明】
【０００１】
【考案の属する技術分野】
本考案は、コンクリート構造物を製造する際に使用する面木に関し、特にコンクリート構造物の角部頂点の形状を整えるのに用いる面木に関する。
【０００２】
【従来の技術】
コンクリート製の構造物の角部　（コーナー部）　の外側は、通常、図１に示すように、いわゆる面取り２がなされている。これは、美観上の配慮と、角部が鋭角であれば欠損しやすく、かつ、危険でもあるからである。
【０００３】
図２は、図１に示すコンクリート構造物の角部を形成するときの、従来の型枠の組み立て状態を示す図である。なお、この図ではコンクリート構造物の内側を画する型枠を省略してある。図示のように、外枠４および５の角部の内側には縦面木６を置き、その内面の所定の高さ位置に横面木７と８を突き合わせる。図３は、その状態を示す平面図である。
【０００４】
図４は、横面木７の斜視図　（但し、長さは短縮してある）である。（ａ）は図２に示す状態、（ｂ）は向きを変えて先端部９の形状がわかるようにしたものである。図示のとおり、横面木は横断面が二等辺三角形のもので、通常、合成樹脂製である。これらの横面木の先端部は、図４の（ｂ）図に示すように２面を切り落としてある。このような形状にするのは、２本の横面木を縦面木６に隙間無く突き合わせるためである。
【０００５】
上記のように外枠および面木を組み立てた後、その内部　（面木の下の部分）にコンクリートを注入する。コンクリートの固化後に外枠および面木を取りはずせば、コンクリート構造の角部およびその頂点は、図１に示す形状に仕上がるのである。
【０００６】
市販されている従来の面木は、その端部が単に長手方向に直角に切断してあるだけである。従って、上記の図４に示すような先端部９の加工は、コンクリート構造物の施工現場で作業者が鋸などを用いて行っている。しかし、図４から明らかなように、先端部には２面９−１と９−２を形成しなければならず、それらの面の上辺は、いずれも４５°の角度で同じ長さに加工しなければならない。そうでないと、図１に示すように突き合わせ部に隙間が生じたり、角部頂点　（図１の３の部分）　が対称形にならず、コンクリート外面の形状が乱れる。
【０００７】
上記のような面木先端部の加工は、従来、手作業で行われているが、熟練した作業者にとっても正確な形状に加工するのは困難であり、かつ作業能率も悪い。
【０００８】
【考案が解決しようとする課題】
本考案は、上記のような面木先端部　（突き合わせ部）　の手作業による加工を無くして、簡単に、かつ効率よく組み立てられる面木を提供することを目的とする。
【０００９】
【課題を解決するための手段】
本考案は、「横断面が二等辺三角形の面木であって、一端部に長手方向に対して傾斜した正三角形の面が形成されており、その面の各辺の長さが、取り付けるべき縦面木の横断面の二等辺三角形の底辺の長さに等しいか、またはそれより短いことを特徴とするコンクリート構造物の角部を形成するための面木」を要旨とする。
【００１０】
なお、この明細書では、図示の例を用いて説明する都合上、横面木および縦面木という表現するが、実際の使用に際しては、それぞれの縦横の向きは製造するコンクリート構造物の種類によって変わる。
【００１１】
【考案の実施の形態】
図５は、本考案の面木を用いて製造したコンクリート構造物の例である。図６は、このような構造物を作製するための型枠の組み立て手順を示す図である。なお、先の図２と同じく、ここでも内枠の記載は省略してある。
【００１２】
図６において、（ａ）に示す外枠４と５の組み立て、および（ｂ）に示す縦面木６の取り付けまでは、従来と同じである。
【００１３】
図６の（ｃ）に示す面木　（以下「補助面木」という）　１０が本考案の面木である。この補助面木の形状は、図７に示すとおりである。同図の（ｂ）は、（ａ）図のＡ方向からみた平面図（横断面も同じ）、（ｃ）は（ｄ）図のＢ方向からみた図、（ｄ）は（ａ）図のＣ方向からみた図である。
【００１４】
補助面木１０の横断面は（ｂ）図に示すように二等辺三角形　（αは４５°）であるが、特徴は一端部　（下端部）　の形状にある。そこには、斜めに形成された平面１０−１がある。その平面　（図７の（ｃ）に示す面）　は、正三角形、即ち、角度βは６０°である。その各辺の長さ（Ｌ２）は、縦面木６の横断面（二等辺三角形）の斜辺の長さ、即ち、図６（ｃ）に示すＬ１と同じか、それよりも短い。例えば、Ｌ１が２５ｍｍであれば、Ｌ２は同じく２５ｍｍか、またはそれよりも２ｍｍ程度短くする。こうしておけば、例えば、横面木７と８を先に縦面木６に当接させてから補助面木１０を挿入するようなときに、挿入が容易である。（ｄ）図に示した角度γは、図５に示す頂部の平面３−１の傾斜角を決める角度であり、通常、４５°が標準である。なお、補助面木の長さには特に制約はないが、例えば図７の（ａ）のＬ３を１００ｍｍ程度にしておけば取り扱いやすい。
【００１５】
上記の補助面木１０は、図６の（ｃ）に示すように縦面木６に取り付けられる。このとき、補助面木の下端がコンクリート構造物の角部の外側頂点の高さに位置するように取り付ける。そうしておいて、（ｄ）に示すように横面木７と８をこの補助面木の各側面に突き合わせて固定する。
【００１６】
図６の（ｄ）から明らかなとおり、横面木７と８の端部（補助面木に当接する端部）は、長手方向に直角に切り落としたままである。即ち、横面木は、市販の面木を所要の長さに切断するだけで使用できる。補助面木は、下端が図７に示す形状になっているので、そのまま縦面木に取り付けるだけでよい。
【００１７】
本考案の補助面木は、一端部だけを前記のように予め成形しておけばよい。この面木の材料は、木材その他の安価で加工し易いものであればよいが、合成樹脂製が望ましい。例えば、発泡ウレタン、塩化ビニール、ポリエチレン等の合成樹脂であれば、その成形は金型を使用する成形技術によって容易に実施できる。なお、前記のように、面木は、通常プラスチック製であるから、所要長さに切断するのは容易であり、また、釘付け、両面接着テープ等によって外枠に固定するのも容易である。
【００１８】
以上のように組み立てた型枠で囲われた内部にコンクリートを注入し、注入したコンクリートが固まったら、外枠および面木を取り外す。こうして形成されたコンクリート構造物が図５に示すものである。この図は、外壁を例示したものであるが、本考案の補助面木を用いて製作できるのは、これに限られない。要するに、角部があって、その角部を面取りする必要のある構造であれが、全てに適用できる。
【００１９】
図１と図５を比較すれば明らかなように、本考案の補助面木を用いて作製したコンクリート構造物の角部頂点３には、三角形の面３−１が形成されている。しかも、その形状は、補助面木の下端形状を正確に反映したものである。このような頂点の形状は、図１に示すものよりもシンプルで美観においても優れる。
【００２０】
【考案の効果】
以上の説明から明らかなように、本考案の面木を使用すれば、従来のように現場での面木の端部　（突き合わせ端部）　の加工は不必要になる。従って、作業効率が高まるだけでなく、作業者の熟練も必要とせず、コンクリートの打ちはなしのままでも整った形状に仕上げることができる。
【図面の簡単な説明】
【図１】従来のコンクリート構造物の一例を示す図である。
【図２】図１に示す構造物を作製するときの型枠の組立図である。
【図３】図２の組立型枠の平面図である。
【図４】図２に型枠の組立に使用される横面木の形状を示す図である。
【図５】本考案の面木を使用して作製したコンクリート構造物の一例を示す図である。
【図６】本考案の面木を使用して型枠を組み立てる手順を示す図である。
【図７】本考案の面木の形状を示す図である。
【図８】本考案の面木を使用して組み立てた型枠の平面図である。
【符号の説明】
１…コンクリート構造物、　２…角部、　３…角部の頂点、　４，５…外枠、６…縦面木、　７，８…横面木、　９…横面木の端部、　１０…本考案の面木
【図１】
0003097303.tif 000003
【図２】
0003097303.tif 000004
【図３】
0003097303.tif 000005
【図４】
0003097303.tif 000006
【図５】
0003097303.tif 000007
【図６】
0003097303.tif 000008
【図７】
0003097303.tif 000009
【図８】
0003097303.tif 000010